(57)【要約】【課題】  長さの異なる電池を内装することが可能な電池ボックスであり、長さの長い電池を内装し、あるいは取り出す際における操作を容易にする。【解決手段】  開口部１１１を通して長さの異なる電池を長さ方向に内装可能なボックス部１１と、開口部を開閉する電池蓋１２とを有する電池ボックス１０であって、長さの長い方の電池を内装したときに当該電池をボックス部１１内に係止するための電池係止爪１１５と、電池蓋１２を開くときに電池係止爪１１５による電池の係止を解除する係止解除片１２５とを備える。電池ボックス１１に電池を内装し、また取り出すときには、電池は電池係止爪１１５によって係止されるので電池蓋１２を小さい力で開閉できる。電池蓋１２を開く直前には電池係止爪１１５の係止が解除されるので、電池蓋１２を開いた際には電池は電池接片１１２のバネ力によってボックス部１１から突出され、電池を容易に取り出すことができる。【選択図】  図２
2006221823.tif 000002
【特許請求の範囲】
【請求項１】
開口部を通して長さの異なる電池を長さ方向に内装可能なボックス部と、前記ボックス部の前記開口部を開閉する電池蓋とを有する電池ボックスであって、長さの長い方の電池を内装したときに当該電池に係合して前記ボックス部内に係止するための電池係止爪と、前記電池蓋を閉じた状態から電池蓋を開くときに前記電池係止爪による電池の係止を解除する係止解除片とを備えることを特徴とする電池ボックス。
【請求項２】
前記ボックス部に設けられた電池蓋係止片と、前記電池蓋に設けられ当該電池蓋を閉じた状態で第１の方向にスライドしたときに前記電池係止片に係合する電池蓋係止爪とを備えることを特徴とする請求項１に記載の電池ボックス。
【請求項３】
前記係止解除片は前記電池蓋を前記第１の方向と反対の第２の方向にスライドしたときに前記電池係止爪の係止を解除する構成であることを特徴とする請求項２に記載の電池ボックス。
【請求項４】
前記電池係止爪は前記ボックス部の一部を切り欠いた弾性変形可能な可撓片で構成され、常態では前記ボックス部に内装された電池の一部に係合し、弾性変形されたときに前記電池との係合が解除される構成であることを特徴とする請求項１ないし３のいずれかに記載の電池ボックス。
【請求項５】
前記電池係止爪には、前記電池蓋を前記第１の方向にスライドしたときに前記電池係止爪を弾性変形させることなく前記係止解除片を移動案内させるための第１のテーパ部と、前記第２の方向にスライドしたときに前記係止解除片によって前記電池係止爪を弾性変形させる第２のテーパ部とを備えることを特徴とする請求項４に記載の電池ボックス。
【請求項６】
前記係止解除片は板厚方向に変形可能なバネ性のある板材で構成され、その先端部に前記第１及び第２の方向に沿って傾斜するテーパ部を有し、前記第１のテーパ部は前記係止解除片が前記第１の方向に移動されたときに前記係止解除片を板厚方向に変形させて当該係止解除片を前記電池係止爪との干渉から回避させる立面テーパ部として構成され、前記第２のテーパ部は前記係止解除片が前記第２の方向に移動されたきに前記係止解除片に設けられたテーパ部に当接して前記電池係止爪を弾性変形させる平面テーパ部として構成されていることを特徴とする請求項５に記載の電池ボックス。
【請求項７】
前記ボックス部内には４本の長さの短い第１の電池、または前記第１の電池よりも幅寸法がほぼ２倍で長さの長い第２の電池が挿入可能であり、前記２本の第２の電池をそれぞれ係止する２つの電池係止爪と、前記２つの電池係止爪をそれぞれ係止解除する２つの係止解除片を備えることを特徴とする請求項１ないし６のいずれかに記載の電池ボックス。
【請求項８】
前記第１の電池は単３形電池であり、前記第２の電池はＣＲ−Ｖ３電池であることを特徴とする請求項７に記載の電池ボックス。
【発明の詳細な説明】
【技術分野】
【０００１】
本発明は異なる形状の電池を使用することが可能なカメラに設けられた電池ボックスに関するものである。
【背景技術】
【０００２】
近年のカメラの多くは専用の電池を使用するように構成されている。例えば、リチウム一次電池はリチウム二次電池に較べると重量エネルギ密度と体積エネルギ密度が高く、特に消費電力の高いデジタルカメラの電源に用いて好適である。しかしながら、カメラ用に開発されているリチウム一次電池は製造しているメーカが少なく、販路も未だ十分ではないため海外等では入手が難しくカメラを使用する際には不便を感じることがある。そのため近年では、汎用のリチウム一次電池や専用のリチウム二次電池以外にも海外等でも入手が容易な汎用型の単３形電池を使用することが可能なカメラが提供されている。例えば、特許文献１では、専用電池の電池ボックスを覆うカメラボディの一部を電池室形成部材として引き出し構造とし、この電池室形成部材を引き出したときに専用電池の代わりに単３形電池を格納することができるようにしている。このようにすることで、専用電池が入手できない場合でも、入手し易い単３形電池でカメラを使用することが可能になる。
【特許文献１】特開２００２−２０８３８７号公報
【０００３】
また、本出願人が提供しているデジタルカメラにおいてもリチウム一次電池の他に単３形電池を使用することができるような構造がとられている。例えば、図１に示すデジタルカメラは、カメラボディ１のグリップ部３内に電池ボックス１０を構成し、カメラボディ１の底板１ａに設けた電池蓋１２をヒンジにより開閉して電池ボックス１０内に電池を出し入れするものである。また、電池蓋１２は閉じた状態でＢ１方向にスライドさせることで係止を行い、電池蓋１２が開くことがないように構成されている。このデジタルカメラでは、６Ｖの電源で駆動するように構成されているため、前記電池ボックス１０には４本の単３形電池、あるいは２本のＣＲ−Ｖ３電池（リチウム一次電池）のいずれかを選択して使用することができる。図１０（ａ）のように、単３形電池Ｄ１は所要の径寸法ｄ１及び長さ寸法Ｌ１をした円柱状をしており、図の上端面に正電極＋が、他端面に負電極−が設けられている。ＣＲ−Ｖ３電池Ｄ２は図１０（ｂ）のように、単３形電池を２本並列配置したような構成であり、したがって単３形電池とほぼ同じ幅寸法ｄ２を有しているが、長さ寸法Ｌ２は単３形電池Ｄ１よりも若干寸法（略２．５ｍｍ）だけ長く形成され、一端面に正電極＋と負電極−が並んで設けられている。
【０００４】
このように４本の単３形電池と２本のＣＲ−Ｖ３電池を使用することができるようにするため、電池ボックスは４本の単３形電池を２×２の配列で並列状態に装填可能であり、ＣＲ−Ｖ３電池は２本を厚さ方向に並列状態に装填可能とされている。また、図示は省略するが、電池ボックスの電池蓋の内面には電池の電極に接して電気接続を行うためにバネ性のある金属片を加工した電池接片を固定しており、電池蓋を閉めたときに当該電池接片が電池の電極に弾接して電気接続を行うようになっている。
【発明の開示】
【発明が解決しようとする課題】
【０００５】
本出願人が提案している前述した電池ボックスでは、特許文献１のようにカメラボディの外側に電池室形成部材を引き出す必要がないため、カメラの外観を損なわないととともにカメラの保持性や使い勝手を損なわないという利点がある。しかしながら、単３形電池とＣＲ−Ｖ３電池の長さ（高さとも言う）の寸法差が大きいため、電池蓋１２を閉じたときに電池接片と電池電極との接触に際して問題が生じる。すなわち、図１１（ａ），（ｂ）は同じ電池ボックス１１内に単３形電池Ｄ１とＣＲ−Ｖ３電池Ｄ２を装填したときの状態を比較して示す断面図である。同図（ａ）のように長さの短い単３形電池Ｄ１の電極＋に電池接片１１２を適切に弾接させるために電池接片１１２のバネ力を設計すると、同図（ｂ）のように、長さの長いＣＲ−Ｖ３電池Ｄ２を使用したときには電池接片１１２の撓み寸法が大きくなり、当該電池接片１１２のバネ力が大きなものとなる。そのため、このバネ力はＣＲ−Ｖ３電池Ｄ２の底部において電池蓋１２に作用するようになり、電池蓋１２を閉めるときに比較的に大きな力が必要となり、電池蓋１２が閉め難くなる。また、閉じた状態にある電池蓋１２に対しては常時電池接片１２のバネ力が大きい状態で加えられていることになるため、電池蓋１２を開く際に係止を外すべく電池蓋１２をスライドさせる際の操作も困難になる。
【０００６】
本発明の目的は、長さ寸法の異なる電池を電池ボックス内に内装し、あるいは取り出す際における操作を容易に行うことを可能にした電池ボックスを提供するものである。
【課題を解決するための手段】
【０００７】
本発明は、開口部を通して長さの異なる電池を長さ方向に内装可能なボックス部と、当該ボックス部の開口部を開閉する電池蓋とを有する電池ボックスであって、長さの長い方の電池を内装したときに当該電池に係合してボックス部内に係止するための電池係止爪と、電池蓋を閉じた状態から電池蓋を開くときに電池係止爪による電池の係止を解除する係止解除片とを備えることを特徴とする。この電池ボックスにおいて、ボックス部に設けられた電池蓋係止片と、電池蓋に設けられ当該電池蓋を閉じた状態で第１の方向にスライドしたときに電池係止片に係合する電池蓋係止爪とを備える。また、係止解除片は電池蓋を第１の方向と反対の第２の方向にスライドしたときに電池係止爪の係止を解除する構成とする。
【発明の効果】
【０００８】
本発明によれば、電池ボックスに長さの長い方の電池を装填する際には、ボックス部に設けた電池係止爪によって当該電池が係止され、電池接片のバネ力によってボックス部から突出する状態を回避することができるので、電池蓋を閉じる際に電池を電池蓋と共に押し込む必要がなく、電池蓋を少ない力で軽く閉じることができる。また、電池ボックスから当該電池を取り出すときには、電池は電池係止爪によってボックス部から突出することが係止されているので電池蓋を開く操作を小さい力で容易に行うことができる。さらに、電池蓋を開く直前には電池係止爪による電池の係止が解除されるので、電池蓋を開いた際には電池は電池接片のバネ力によってボックス部から突出されるので、ボックス部から突出された状態になる電池をボックス部から容易に取り出すことが可能になる。
【発明を実施するための最良の形態】
【０００９】
本発明においては、電池係止爪はボックス部の一部を切り欠いた弾性変形可能な可撓片で構成され、常態ではボックス部に内装された電池の一部に係合し、弾性変形されたときに電池との係合が解除される構成であり、部品点数を増やすことなく電池係止爪が構成できる。
【００１０】
電池係止爪には、電池蓋を第１の方向にスライドしたときに電池係止爪を弾性変形させることなく係止解除片を移動案内させるための第１のテーパ部と、第２の方向にスライドしたときに係止解除片によって電池係止爪を弾性変形させる第２のテーパ部とを備える。特に、係止解除片は板厚方向に変形可能なバネ性のある板材で構成され、その先端部に第１及び第２の方向に沿って傾斜するテーパ部を有し、第１のテーパ部は係止解除片が第１の方向に移動されたときに係止解除片を板厚方向に変形させて当該係止解除片を電池係止爪との干渉から回避させる立面テーパ部として構成され、第２のテーパ部は係止解除片が第２の方向に移動されたきに係止解除片に設けられたテーパ部に当接して電池係止爪を弾性変形させる平面テーパ部として構成されている。この構成により、電池蓋を開閉すべくスライドすることにより、係止解除片による係止と係止解除を電池蓋の開閉に連動させることが可能になる。
【実施例１】
【００１１】
次に、本発明の実施例を図面を参照して説明する。図１は本発明をレンズ交換式のデジタル一眼レフカメラに適用した実施例１を前面下方から見上げた斜視図である。図１においてカメラボディ１の前面にはレンズマウント２が配設されており、このレンズマウント２には図には表れない撮像レンズが装着される。前記カメラボディ１の前面から見て左側には撮影者がカメラを右手で保持する際のグリップ部３が設けられており、このグリップ部３の上面には図には表れないレリーズボタンや、同図に一部が示されているメインスイッチ４や設定ダイヤル５が配設されている。また、前記グリップ部３内にはカメラボディ１と別体に形成された電池ボックス１０が内装されており、この電池ボックス１０は前記カメラボディ１の底板１ａの一部を構成するとともに、当該電池ボックス１０の後述する下側開口部を開閉するための電池蓋１２を備えている。この電池蓋１２は下側開口部を開閉する際に、図１のＡ１方向及びこれと反対のＡ２方向に回動でき、また図１のＢ１方向及びこれと反対のＢ２方向にスライドさせることが可能とされている。
【００１２】
図２は図１のカメラボディ１から前記電池ボックス１０を取り出した状態の斜視図である。前記電池ボックス１０は下端部を開口した下側開口部１１１を有する箱状のボックス部１１と、この下側開口部１１１を開閉する前記電池蓋１２とで構成され、それぞれ樹脂成形によって形成される。前記ボックス部１１は４本の単３形電池を縦横に２本ずつ配列した状態で、あるいは２本のＣＲ−Ｖ３電池を並列状態に内装することができる内容積の形状、寸法に形成されており、前記電池蓋１２は前記ボックス部１１の下側開口部１１１の一側においてヒンジ１２１により開閉可能に連結されている。前記電池蓋１２は、詳細は後述するが、図１にＡ１方向に回動して下側開口部１１１を閉じた上で、カメラボディ１の底板１ａと平行なＢ１方向にスライドしたときにボックス部１１に対して係止されてヒンジ１２１での回動ができなくなるようになっている。反対に、図１のＢ１方向と反対のＢ２方向にスライドさせることで係止が外れ、Ａ２方向に開くことができるようにされている。そのため、前記ヒンジ１２１は電池蓋をボックス部１１に対して矢印Ｂ１，Ｂ２方向に小寸法だけスライドさせることができるようにルーズな連結構成とされている。
【００１３】
図３は前記ボックス部１１の一部の縦断面図であり、ボックス部１１の内部の上底面にはボックス部１１内に内装する単３形電池あるいはＣＲ−Ｖ３電池の各電極に導通して電気接続を行うための４つの電池接片１１２が配設されている。これらの電池接片１１２はバネ性を有する金属板を加工したものであり、図２にも示したように、ボックス部１１の上底面に沿った部分に設けた窓部１１３を通して外側からボックス部１１の内部にまで電池接片１１２を差し入れ、ボックス部１１の上底面に設けた突起１１４により固定した構成である。ここで、前記電池接片１１２は長さの短い単３形電池に対して好適な電気接触を確保するためにボックス部１１の上底面から下方に向けて比較的に長い寸法で突出するように曲げ加工されており、そのため図１１（ａ），（ｂ）に示したように、単３形電池よりも長いＣＲ−Ｖ３電池をボックス部１１に内装したときには当該電池接片１１２の撓み量が多くなり、この電池接片１１２のバネ力によって電池蓋１２が閉め難くなっていることは前述の通りである。
【００１４】
また、図４は電池ボックス１０の上下を反対にして図２の裏側から見た斜視図であり、これらの図に示すように、前記ボックス部１１の下側開口部１１１の端面には、一側に電池蓋係止片１１４が突出形成され、反対側には一対の電池係止爪１１５が突出形成されている。前記電池蓋係止片１１４は下側開口部１１１の端面に一体に立設され、当該端面との間に係止溝を構成するように断面が逆Ｌ字型に形成されている。また、前記電池係止爪１１５は、ボックス部１１内に内装される２本のＣＲ−Ｖ３電池のそれぞれの一側部に対向するように当該ボックス部１１の側部を上下方向に細片状に切り欠いて板厚方向に弾性変形可能な可撓片１１５ａを形成し、この可撓片１１５ａの先端をボックス部１１の内方に向けて爪状に突出した構成としている。これらの電池係止爪１１５は、図５に１つを拡大して示すように平面形状は電池蓋１２のスライド方向に対して傾斜した平面テーパ部１１５ｂを有し、またその一側には立面方向に傾斜した立面テーパ部１１５ｃを有している。この構造により前記２つの電池係止爪１１５は可撓片１１５ａの板厚方向の弾性変形によってボックス部１１の側方方向（図４のＣ方向）に弾性変形が可能とされており、特にＣＲ−Ｖ３電池をボックス部１１に内装する際には、電池係止爪１１５が外側Ｃ方向に弾性変形して下側開口部内から退避して内装を可能とする一方で、ＣＲ−Ｖ３電池が装填されたときには電池係止爪は弾性復帰してＣＲ−Ｖ３電池の底部に係合し、ＣＲ−Ｖ３電池がボックス部１１内から脱落されないように構成されている。
【００１５】
一方、前記電池蓋１２の内面にはボックス部１１に単３形電池を内装したときに、２本の対をなす単３形電池の電極に電気接触してこれらの単３形電池をそれぞれ直列に電気接続するための２つの短絡用電池接片１２２が金属板により形成され、ネジ１２３により固定されている。また、当該電池蓋１２の内面の前記短絡用電池接片１２２の一側には、電池蓋１２を前述のようにＢ１方向にスライドしたときに前記電池蓋係止片１１４に係合可能な断面がＬ字型をした電池蓋係止爪１２４が突出形成される。また、前記短絡用電池接片１２２の反対側には、前記ボックス部１１の２つの電池係止爪１１５にそれぞれ対向するように２つの係止解除片１２５が取着されている。これらの係止解除片１２５は板厚方向にバネ性のある金属板を加工したものであり、それぞれ前記スライド方向のＢ１方向に向けて配設され、基端部においてネジ１２６により電池蓋１２の内面に締結支持されている。これら係止解除片１２５は電池蓋１２を閉じたときに前記２つの電池係止爪１１５の立面テーパ部１１５ｃに対して同じ高さ位置、すなわち同じ平面上で対向位置されるようになっている。また、前記２つの係止解除片１２５の先端部には先端に向けて徐々に幅寸法が拡大するテーパ部１２５ａを有しており、このテーパ部１２５ａは前記２つの電池係止爪１１５の平面テーパ部１１５ｂに対応してほぼ同じ傾斜角度のテーパ形状とされている。
【００１６】
以上の構成の電池ボックスに電池を内装及び取り出す際の操作を図６及び図７を参照して説明する。なお、これらの図は電池蓋１２を上方に向けた状態で電池を内装する場合の電池ボックス１０のみを示した図である。図６（ａ）のように電池蓋１２を開けた状態ではボックス部１１の下側開口部１１１が開放されるので、ボックス部１１内に電池を内装する。このとき、電池ボックスに４本の単３形電池Ｄ１を内装する場合には、図  に示したように単３形電池Ｄ１はＣＲ−Ｖ３電池Ｄ２よりも長さが短いため、ボックス部１１内の上底面に配設されている電池接片１１２の撓み量は少なく、単３形電池Ｄ１の底部はボックス部１１の下側開口部１１１の端面よりも若干内側に位置している。また、このとき単３形電池Ｄ１の径寸法はＣＲ−Ｖ３電池Ｄ２の幅寸法よりも小さいため電池係止爪１１５が挿入に際しての邪魔になることはない。そのため、図６（ｂ）のように、ヒンジ１２１の軸回りのＡ１方向に電池蓋１２を閉じたときに単３形電池Ｄ１を介して電池蓋１２に加えられる電池接片１２２によるバネ力は小さい。したがって、この閉じた状態のまま図６（ｃ）のように、電池蓋１２をＢ１方向にスライドすると、図には表れないが、電池蓋係止爪１２４が電池蓋係止片１１４の係止溝内に入り込むため、電池蓋１２はボックス部１１に係止され、電池蓋１２は閉じた状態が保持されることになる。
【００１７】
また、反対に単３形電池Ｄ１を電池ボックス１０から取り出すときには、電池蓋１２を図６（ｂ）のようにＢ２方向にスライドさせると電池蓋係止爪１２４が電池蓋係止片１１４の係止溝から外れ、図６（ａ）のように電池蓋１２をヒンジ１２１の軸回りのＡ２方向に回転して開放することができ、下側開口部１１１を開放してボックス部１１から単３形電池Ｄ１を取り出すことが可能になる。
【００１８】
一方、電池ボックス１０にＣＲ−Ｖ３電池Ｄ２を内装する場合には、図７（ａ）のように、単にボックス部１１内にＣＲ−Ｖ３電池Ｄ２を内装しただけでは電池接片１１２のバネ力によってＣＲ−Ｖ３電池Ｄ２の底部はボックス部１１の下側開口部１１１から突出した状態にある。そのため、この状態で電池蓋１２を閉じようとしたときには同時にＣＲ−Ｖ３電池Ｄ２をボックス部１１内にまで押し込む必要があり、電池接片１１２の撓み量が大きくなり、電池接片１１２のバネ力によって電池蓋１２が閉め難くなる。このとき、ＣＲ−Ｖ３電池Ｄ２をボックス部１１内に内装する時点では、電池係止爪１１５はＣＲ−Ｖ３電池Ｄ２の側面との衝接によって外側方向に弾性変形されているが、図７（ｂ）のように、ＣＲ−Ｖ３電池Ｄ２をボックス部１１内にまで完全に押し込んだ時点で電池係止爪１１５は可撓片１１５ａの弾性力によってＣＲ−Ｖ３電池Ｄ２の底部を越えて内方に復帰し、電池係止爪１１５がＣＲ−Ｖ３電池Ｄ２の底部に係合する。これにより、ＣＲ−Ｖ３電池Ｄ２は底部がボックス部１１内に完全に挿入された状態で保持されることになり、単３形電池の場合と同様に電池蓋１２をＡ１方向に容易に閉めることが可能になる。その後は、図６（ｂ），（ｃ）に示したように、単３形電池の場合と同様に電池蓋１２をＢ１方向にスライドして電池蓋係止爪１２４を電池蓋係止片１１４に係合させることで電池蓋１２を閉じた状態に保持できる。この場合でも電池蓋１２がＣＲ−Ｖ３電池と干渉することはなく、小さい力でスライドさせることが可能になる。
【００１９】
ここで、電池蓋１２をスライドしたときの電池係止爪１１５と係止解除片１２５の動作について図８及び図９を参照して説明する。これらの図において（ａ１），（ｂ１）は模式的な平面図、（ａ２），（ｂ２）は縦断面図を示している。先ず、ボックス部１１内に電池を内装して電池蓋１２をＡ１方向に回動して閉じただけの時点では、図８（ａ１），（ａ２）のように、電池蓋１２の内面の２つの係止解除片１２５はそれぞれ先端部が電池蓋係止片１１５よりもＢ１方向と反対のＢ２方向の位置にある。そして、図８（ｂ１），（ｂ２）のように電池蓋係止爪１２４を電池蓋係止片１１４に係合させるべく電池蓋をＢ１方向にスライドして行くと、各係止解除片１２５はそれぞれ先端部が電池係止片１１５の立面テーパ部１１５ｃに当接し、さらにこの立面テーパ部１１５ｃに沿って同図の上方側に板厚方向に弾性変形される。さらに電池蓋１２をＢ１方向にスライドし、電池蓋係止爪１２４が電池蓋係止片１１４に係止した状態となると、図９（ａ１），（ａ２）のように、係止解除片１１５の先端部は電池係止爪１１５を乗り越えた状態になる。
【００２０】
また、ＣＲ−Ｖ３電池Ｄ２を電池ボックス１０から取り出すべく電池蓋１２を開くときには、図９（ｂ１），（ｂ２）のように、電池蓋１２をＢ２方向にスライドさせて行くと、２つの係止解除片１２５の各先端部のテーパ部１２５ａが電池係止爪１１５の平面テーパ部１１５ｂに当接状態を保って移動されるため、係止解除片１２５のテーパ部１２５ａと電池係止爪１１５の平面テーパ部１１５ｂとの間のテーパ作用によって電池係止爪１１５に対してＣ方向外側に変形力を生じさせる。これにより電池係止爪１１５はＣ方向外側に弾性変形して下側開口部１１１の縁部から後退されるため、電池係止爪１１５がＣＲ−Ｖ３電池Ｄ２の底縁の係止状態から解除される。ＣＲ−Ｖ３電池Ｄ２は電池係止爪１１５による係止が解除されると電池接片１１２のバネ力によってボックス部１１から押し出された状態となり、図７（ａ）に示した状態となる。したがって、ヒンジ１２１により電池蓋１２をＡ２方向に開けばＣＲ−Ｖ３電池Ｄ２をボックス部１１から容易に取り出すことが可能になる。
【００２１】
このように、電池ボックス１０にＣＲ−Ｖ３電池Ｄ２を内装する際には、ボックス部１１に設けた電池係止爪１１５によってＣＲ−Ｖ３電池Ｄ２が係止されるので、電池接片１１２のバネ力によってＣＲ−Ｖ３電池Ｄ２がボックス部１１から突出することを防止することができるので、電池蓋１２を閉じる際にＣＲ−Ｖ３電池Ｄ２を共に押し込む必要がなく、電池蓋１２を少ない力で軽く閉じることができる。また、電池ボックス１０からＣＲ−Ｖ３電池Ｄ２を取り出すときには、電池蓋１２をスライド開方向のＢ２方向にスライド操作するが、このスライド操作を行う時点ではＣＲ−Ｖ３電池Ｄ２は電池係止爪１１５によって以前としてボックス部１１から突出することが係止されているのでスライド操作を小さい力で容易に行うことができる。そして、スライド操作が完了して電池蓋係止片１１４と電池蓋係止爪１２４との係止が解除されるのと同時に係止解除片１２５によって電池係止爪１１５によるＣＲ−Ｖ３電池Ｄ２の係止が解除されるので、電池蓋１２を開いたときにはＣＲ−Ｖ３電池Ｄ２は電池接片１１２のバネ力によってボックス部１１から突出されることになる。そして、電池蓋１２を開いたときには電池係止片１１５の係止解除操作を行うことなくＣＲ−Ｖ３電池Ｄ２をボックス部１１から取り出すことができる。
【００２２】
因みに、実施例１における係止解除片１２５が存在していないときには、電池蓋１２を開いたときにＣＲ−Ｖ３電池Ｄ２を係止している電池係止爪１１５を１つずつ係止解除する操作が必要であり、電池の取り出し作業が煩雑なものになる。特に、実施例１のように２本のＣＲ−Ｖ３電池Ｄ２を内装している電池ボックス１０において電池を取り出す際には、電池蓋１２をスライドする操作に加えて、２つの電池係止爪１１５を順次係止解除させる操作が必要であり、この係止解除の操作は指先で行うために操作が極めて困難なものになり易く、電池の取り出し操作の全体が困難名ものになり易い。この点、実施例１ではこのような煩雑な作業は不要であり、単に電池蓋１２をスライドして開くだけで２本のＣＲ−Ｖ３電池を取り出すことが可能になる。
【００２３】
実施例１では単３形電池とＣＲ−Ｖ３電池を使用することが可能な電池ボックスの例を示したが、長さの異なる電池をそれぞれ使用することが可能で、電池蓋をヒンジにより回動し、かつスライドして係止する構成の電池ボックスであれば本発明を同様に適用することが可能である。また、本発明はカメラの電池ボックスに限られるものではなく、電池を電源とする各種電子機器の電池ボックスに適用することが可能である。
【図面の簡単な説明】
【００２４】
【図１】本発明の実施例１のカメラを前面側の下方向から見た斜視図である。
【図２】実施例１の電池ボックスの斜視図である。
【図３】ボックス部の一部の縦断面図である。
【図４】電池ボックスを上下反対にした状態の斜視図である。
【図５】要部を模式的に示す拡大斜視図である。
【図６】単３形電池を内装するときの作用を説明する斜視図である。
【図７】ＣＲ−Ｖ３電池を内装するときの作用を説明する斜視図である。
【図８】電池蓋のスライド作用を説明する平面図と断面図のその１である。
【図９】電池蓋のスライド作用を説明する平面図と断面図のその２である。
【図１０】単３形電池とＣＲ−Ｖ３電池を比較した斜視図である。
【図１１】単３形電池とＣＲ−Ｖ３電池を電池ボックスに内装した状態を示す一部の縦断面図である。
【符号の説明】
【００２５】
１  カメラボディ
２  レンズマウント
３  グリップ部
１０  電池ボックス
１１  ボックス部
１２  電池蓋
１１２  電池接片
１１４  電池蓋係止片
１１５  電池係止爪
１１５ｂ  平面テーパ部
１１５ｃ  立面テーパ部
１２１  ヒンジ
１２２  短絡電池接片
１２４  電池蓋係止爪
１２５  係止解除片
１２５ａ  テーパ部
Ｄ１  単３形電池
Ｄ２  ＣＲ−Ｖ３電池
【図１】
2006221823.tif 000003
【図２】
2006221823.tif 000004
【図３】
2006221823.tif 000005
【図４】
2006221823.tif 000006
【図５】
2006221823.tif 000007
【図６】
2006221823.tif 000008
【図７】
2006221823.tif 000009
【図８】
2006221823.tif 000010
【図９】
2006221823.tif 000011
【図１０】
2006221823.tif 000012
【図１１】
2006221823.tif 000013